(57)【要約】【課題】表示部を中心部側に確保できる構成において、羽根の前方及び側方の両方からの風の力を有効に利用できる風力発電方式の標識を提供する。【解決手段】風力発電による電力を供給して、発光体を点灯または点滅する標識において、発光体を有する表示板または表示板を支持する支持体の回りに回転するように風力発電部の羽根とこれを支持する回転体を構成したものである。【選択図】    図１
2005023917.tif 000002
【特許請求の範囲】
【請求項１】
風力発電部と発光体を有する表示板からなる風力発電式標識であって、前記発光体は前記風力発電部から電力の供給をうけ、前記表示板または前記表示板を支持する支持体の回りに回転するように前記風力発電部の有する羽根と前記羽根を支持する回転体を構成したことを特徴とする風力発電式標識。
【請求項２】
前記の風力発電部を収納する筺体の大きさを、前記表示板の周辺より内側または前記羽根の内端より内側に形成することで前記羽根を通過した風の通路を確保したことを特徴とする請求項１記載の風力発電式標識。
【請求項３】
３枚以上の前記羽根を有することを特徴とする請求項１及び請求項２記載の風力発電式標識。
【請求項４】
前記羽根側に前記発光体を有することを特徴とする請求項１、請求項２及び請求項３記載の風力発電式標識。
【発明の詳細な説明】
【発明の詳細な説明】
【技術分野】
【０００１】  本発明は、風力発電により発電した電力で標識を電気的に駆動する標識に関するものである。
【背景技術】
【０００２】  従来、風力発電により発電した電力で標識を駆動するものとしては、特開平７−２５９０２９には、風力発電により発電した電力で発光体の点灯または点滅を行うことが示されている。図２は、この発明を含めた従来の発明を示す図であって、２０１が、側断面図であり、２０２が、羽根側から見た正面図である。２０３は、風力により回転する羽根で、２０４は、羽根２０３とともに回転する回転体である。回転体２０４には、担体２０５に付設されたＮ極とＳ極が交互に並んだ多数の永久磁石２０６があり、回転体２０４とともに回転する。その周囲には、鉄心に巻かれたコイル２０７が固定されている。永久磁石２０６の回転により鎖交した磁界でコイル２０７に電力が誘起される。制御回路２０８は、誘起された脈流の電力の整流及び電圧安定化を行う。その後、電力は二次電池２０９に充電される。２１０は表示板であり、発光体２１１が付設されていて、発光体２１１は、制御回路２０８の制御により、点灯または点滅を行うようになっている。なお、２１２は筺体であり、２１３は回転軸２０４の回転を補助するボールベアリングであり、２１４は表示板の表面についたほこりを払い落とすためのブラシである。
【発明が解決しようとする課題】
【０００３】  以上のような構成では、羽根２０３の回転軸２０４が、表示板２１０を貫通する構成になっていて、羽根２０３の後ろ側には表示板２１０があり、羽根２０３の前方から来た風は表示板２１０に遮られてしまい、風力が利用できない欠点があった。すなわち、この場合に利用できる風は、羽根の横から来たものだけしか利用できないので、応用面で取り付け方向および発電量に制限があった。また、前方からの風を利用するには、羽根の後ろ側の表示板に風の通路を設けるようにすると、表示板は羽根の先の外側部しか利用できないという欠点があった。本発明は、このような欠点を排除して、表示部を中心部側に確保できる構成において、羽根の前方及び側方の両方からの風の力を有効に利用できる構成を与えるものである。
【課題を解決するための手段】
【０００４】  従来は、羽根の回転軸が表示板の穴を貫くように構成されていたものを、本発明では、表示板または表示板を支持する支持体の回りに回転するように羽根とこれを支持する回転体を構成したものである。従って、回転体の穴を貫いて表示板の支持体がある構成になっている。
請求項１記載の発明は、風力発電部と発光体を有する表示板からなる風力発電式標識であって、前記発光体は前記風力発電部から電力の供給をうけ、前記表示板または前記表示板を支持する支持体の回りに回転するように前記風力発電部の有する羽根と前記羽根を支持する回転体を構成したことを特徴とする。
【０００５】請求項２記載の発明は、請求項１記載の風力発電式標識において、前記の風力発電部を収納する筺体の大きさを、前記表示板の周辺より内側または前記羽根の内端より内側に形成することで前記羽根を通過した風の通路を確保したことを特徴とする。
【０００６】請求項３記載の発明は、請求項１及び請求項２記載の風力発電式標識において、３枚以上の前記羽根を有することを特徴とする。
【０００７】請求項４記載の発明は、請求項１、請求項２及び請求項３記載の風力発電式標識において、前記羽根側に前記発光体を有することを特徴とする。
【発明を実施するための最良の形態】
【０００８】以下、本発明に係る風力発電式標識について説明する。図１は、一実施態様を示す図であって、図２と同様に、１０１は、側断面図であり、１０２は、羽根側から見た正面図である。１０３は風力により回転する羽根であり，１０４は羽根１０３とともに回転する回転体であり、回転体１０４に付設されたＮ極とＳ極が交互に並んだ多数の永久磁石１０６があり、回転体１０４とともに回転する。支持棒１０５は、表示板１１０を支持し、表示板１１０には発光体１１１が付設されている。コイル１０７、制御回路１０８、二次電池１０９、筺体１１２、ボールベアリング１１３、及びブラシ１１４の機能は、図２の対応部分と同じであるので説明を省略する。なお、この図では、回転体１０４にある永久磁石１０６は、コイル１０７の内側に配置されているが、外側に配置することも可能である。支持棒１０５、発光体１１１及び表示板１１０を除く、羽根１０３、回転体１０４、永久磁石１０６、コイル１０７、制御回路１０８および二次電池１０９から風力発電部が構成されている。なお、羽根の枚数は、風力の有効利用とバランスを考えて、３枚以上が好ましい。また、発光体１１１を羽根１０３側に付設することも可能である。
【発明の効果】
【０００９】    以上のように構成したので、表示板１１０の周囲側に羽根１０３が配置できて、表示板１１０が羽根１０３の内側に集中して確保できる利点に加えて、羽根の正面から来た風は、羽根を回転させたあと後ろ側に通過するパスを確保することが出来る。この図では筺体が大きく邪魔なように見えるが、筺体を表示板の大きさ以下に収まるように設計することが可能であり、前方からの風を更に有効に利用できる。勿論、側方からの風が利用できることは明らかである。
【図面の簡単な説明】
【図１】本発明に係る風力発電式標識の一実施態様の側断面と正面を示す図である。
【図２】従来の風力発電式標識の側断面と正面を示す図である。
【符号の説明】
１０１，２０１・・・側断面図、１０２，２０２・・・羽根側から見た正面図
１０３，２０３・・・羽根、１０４，２０４・・・回転体、１０５・・・支持棒
２０５・・・担体、  １０６，２０６・・・永久磁石
１０７，２０７・・・コイル、  １０８，２０８・・・制御回路
１０９，２０９・・・二次電池、１１０，２１０・・・表示板
１１１，２１１・・・発光体、  １１２，２１２・・・筺体
１１３，２１３・・・ボールベアリング、１１４，２１４・・・ブラシ
【図１】
2005023917.tif 000003
【図２】
2005023917.tif 000004